(57)【要約】      （修正有）【課題】片方の手及び腕へ一人で包帯を巻くとき、巻き始め端部を固定する場合において、包帯を汚れにくくする仮止め具を提供する。【解決手段】仮止め具１０を包帯と別体に設ける。仮止め具１０は一方の面に係合層１２を有し、他方の面に生体粘着剤層１３を有する。生体粘着剤層１３を手首へ貼り付け、係合層１２へ包帯の巻き始め端部を係合すると、巻き始め端部が固定されるため、その後、片手で包帯を手首へ巻きつけることができる。巻き始め端部は係合層１２と機械的に係脱するので、巻き始め端部が粘着剤で汚れることがない。【選択図】図１
0003185700.tif 000002
【実用新案登録請求の範囲】
【請求項１】
包帯の巻き始め端部（３１）を皮膚へ仮止めするための仮止め具（１０）において、仮止め具（１０）は包帯（３０）と別体に設けられ、
仮止め具（１０）の一面は、包帯（３０）の巻き始め端部（３１）へ着脱自在に係合する係合突部（１５）が設けられた係合層（１２）とされ、
他面は皮膚へ貼り付けられる生体粘着剤層（１３）とされていることを特徴とする仮止め具。
【請求項２】
前記係合層（１２）が面ファスナーで構成されていることを特徴とする請求項１に記載した仮止め具。
【請求項３】
前記生体粘着剤層（１３）がゲル粘着剤を含むことを特徴とする請求項１又は２に記載した仮止め具。
【考案の詳細な説明】
【技術分野】
【０００１】
この考案は、片方の手及び腕に他方の手で包帯を巻きつけるときなどにおいて、包帯の巻き始め端部を固定するために使用する仮止め具に関する。
【背景技術】
【０００２】
自分で一方の手や腕に包帯を巻く場合、一方の手や腕に包帯の巻き始め端部を置き、この巻き始め端部を押さえながら、他方の手で包帯のロールを持って巻き付ける。このとき、包帯が巻きつけられる側である一方の手を巻き始め端部の固定に使用できないので、自分の顎などを使って巻き始め端部を固定しなければならず、巻き付けが極めて困難である。
【０００３】
このような困難を解消するため、包帯の巻き始め端部を固定する仮止め具が公知である。このような仮止め具として、両面接着テープ状のものがあり、片面を粘着層で予め包帯の巻き始め端部に貼り付けておき、他方の面を手及び腕へ貼り付けて仮止めすることにより、巻き始め端部を手で押さえずに包帯を巻けるようにしてある（特許文献１参照）。
さらに、仮止め具の皮膚へ貼り付ける側をゲル層として、皮膚のかぶれ等を回避できるようにしたものもある（特許文献２参照）。
【先行技術文献】
【特許文献】
【０００４】
【特許文献１】特開２００２−０１１０１号公報
【特許文献２】実開平３−１２２８２０号公報
【考案の概要】
【考案が解決しようとする課題】
【０００５】
ところで、上記のような仮止め具を予め包帯の巻き始め端部へ貼り付けておくものでは、包帯の製造において包帯側へ特別な工程を付加することになり、コストアップを招く。また、包帯が仮止め具付の特殊仕様になり、市販されている種々な包帯全てに適用できず、汎用性がない。
さらに、仮止め具を包帯の巻き始め端部へ粘着すると、包帯を外して仮止め具を取り除いたとき巻き始め端部が粘着剤で汚れやすくなり、包帯の繰り返し使用できる回数が少なくなる。
そこで本考案は、このような課題を解決する仮止め具の提供を目的とする。
【課題を解決するための手段】
【０００６】
上記課題を解決するため請求項１に記載された考案は、包帯の巻き始め端部（３１）を皮膚へ仮止めするための仮止め具（１０）において、仮止め具（１０）は包帯（３０）と別体に設けられ、
仮止め具（１０）の一面は、包帯（３０）の巻き始め端部（３１）へ着脱自在に係合する係合突部（１５）が設けられた係合層（１２）とされ、
他面は皮膚へ貼り付けられる生体粘着剤層（１３）とされていることを特徴とする。
【０００７】
請求項２に記載された考案は、上記請求項１において、前記係合層（１２）が面ファスナーで構成されていることを特徴とする。
【０００８】
請求項３に記載された考案は、上記請求項１において、前記生体粘着剤層（１３）がゲル粘着剤を含むことを特徴とする。
【考案の効果】
【０００９】
請求項１に記載した考案によれば、仮止め具（１０）を用いると、包帯（３０）の巻き始め端部（３１）が係合層（１２）と係合して固定されるので、以後、巻き始め端部（３１）を顎などで固定することなく包帯（３０）を巻きつけることができる。
このため、一人で包帯（３０）を巻く場合において特に困難であった手首（２０）への巻きつけが容易になった。
【００１０】
この場合には、仮止め具（１０）は比較的小さなものにして、包帯（３０）と別体になっているから、包帯（３０）を巻く前に仮止め具（１０）だけを手首（２０）の適宜場所へ貼り付けることができる。しかも、包帯（３０）を持たずに、他方の手で仮止め具（１０）を持って一方の手及び腕における任意の位置へ包帯（３０）に拘束されずに自由に貼り付けることができる。
【００１１】
しかも、仮止め具（１０）が包帯（３０）と別体であるため、包帯（３０）の製造工数を増加することはなく、そのうえ、ほとんど全ての市販されている包帯（３０）に対して使用でき、汎用性が増す。
【００１２】
また、仮止め具（１０）は係合層（１２）が包帯（３０）の巻き始め端部（３１）へ着脱自在に係合する。したがって、着脱は機械的に係脱するだけである。このように、巻き始め端部（３１）を仮止め具（１０）に対して着脱するに際して機械的に係脱すると、粘着するときのような糊残りを生じることなく分離できるので、包帯（３０）を何回も繰り返して使用することが可能になる。
【００１３】
請求項２に記載された考案によれば、係合層（１２）を面ファスナーで構成することにより、公知の面ファスナーを利用して係合層（１２）を容易に形成できる。
【００１４】
請求項３に記載された考案によれば、生体粘着剤層（１３）がゲル粘着剤を含むので、皮膚に悪影響をより生じさせにくくして、仮止め具（１０）をより長時間貼り付けたまま使用することができる。
【図面の簡単な説明】
【００１５】
【図１】本願に係る仮止め具の斜視図（一部を破断して示す）
【図２】使用状態を示す図（巻き始め端部の固定前状態）
【図３】使用状態を示す図（巻き始め端部の固定後状態）
【考案を実施するための形態】
【００１６】
以下、図面に基づいて一実施形態を説明する。図１は本願に係る仮止め具１０の斜視図であり、一部を破断して示している。
この仮止め具１０は、基材層１１と、その一方の面に設けられた係合層１２と、基材層１１の他方の面に設けられた生体粘着剤層１３を有する。係合層１２は接着層１４を介して基材層１１に接着されている。生体粘着剤層１３は、未使用時には剥離紙１６で覆われている。なお以下の説明において、便宜的に仮止め具１０の両面のうち、係合層１２側を表面側、生体粘着剤層１３側を裏面側ということにする。
【００１７】
この仮止め具１０は、図２に示すように、手首２０等における包帯３０の巻き始め部分近傍へ予め貼り付けられ、包帯３０の巻き始め端部３１を係合するものである。仮止め具１０の大きさは、大小に種々可能であるが、例えば、包帯３０の幅（長手方向と直交方向における寸法）と同程度とする。勿論これよりも小さくすることができる。また、小さなものを複数用いるようにしてもよい。仮止め具１０の形状も、長方形や正方形さらには円形等種々な形状が可能である。
【００１８】
基材層１１は、表裏に係合層１２と生体粘着剤層１３を形成するためのものであり、ある程度の柔軟性がある適宜のプラスチックフィルムで構成される。
【００１９】
係合層１２は、複数の係合突部１５が立設され、包帯３０へ機械的に係合するようになっているものであり、公知の面ファスナーの雄側を利用できる。ここで機械的とは、接着力や粘着力と異なる機械的な力による結合形式を意味する。係合突部１５の個数は任意であり、要求される係合時の固定力に応じて調整される。
係合突部１５の形状は、釣り針のような先端が略Ｊ字状等の鈎状に折り返された起毛状の突起やキノコ状の拡大頭部を有する突起など、面ファスナーとして機能する公知の形状を種々利用できる。
【００２０】
また、市販されている面ファスナーを用いず、特別に適当なプラスチック材料を用いて、突起状の係合突部１５と基部を一体に成形したものでもよい（これを特別な成形品ということにする）。この場合、基材層１１に係合突部１５と一体に形成することもできる。
【００２１】
接着層１４は、係合層１２と基材層１１を接着するものであり、公知の接着剤を適宜用いることができる。なお、係合層１２を面ファスナーとせず、基材層１１と一体の特別な成形品とした場合には省略される。
【００２２】
生体粘着剤層１３は、仮止め具１０を手首２０等へ貼り付けるためのものであり、好ましくは、皮膚に対してかぶれ等が生じにくいように配慮された公知の生体粘着剤が使用される。また、長時間の貼り付けでも皮膚に悪影響の出にくいゲル粘着剤が特に好ましい。
【００２３】
ゲル粘着剤を使用すると、皮膚の弱い部分にも貼り付けでき、しかもより長時間の貼り付けが可能になる。このようゲル粘着剤として、公知のものを適宜使用でき、例えば、テクノゲルシートＡＧ（商品名：積水化成品工業株式会社製造）がある。
【００２４】
包帯３０は、帯状の長いものであり、その長手方向の一端を巻き始め端部３１とし、他端側を巻き終わり端部３２とする。通常は巻き終わり端部３２を内側にして巻いたロール部３３になっている。但し、巻き終わり端部３２はロール部３３を構成する部分の全長における端部に限らず、手首２０等へ巻き付ける長さがロール部３３を構成する部分の一部であり、ロール部３３をカットして用いる場合は、カットされた端部となる。
【００２５】
包帯３０の素材は、綿糸や弾性糸等の織物や編み物などであり、伸縮性のないものもしくは伸縮性に富むものなど、市販されている種々のものが使用される。また、不織布等も使用可能であるが、要は面ファスナーの雌側部材として係合層１２が係合できるものであればよい。
【００２６】
次に、一方の手首２０に対して他方の手で包帯３０を自分一人で巻く場合における仮止め具１０の使用方法を説明する。両方の手及び腕のうち、包帯３０が巻き付けられる側を一方、包帯３０を持って巻きつける側を他方という。
【００２７】
図２に示すように、まず、仮止め具１０を他方の手及び腕に持ち、仮止め具１０の裏面における剥離紙１６を剥がして生体粘着剤層１３を一方の手及び腕の手首２０における包帯３０の巻き始め部分近傍に貼り付ける。
これにより、仮止め具１０は、手首２０における希望の位置へ貼り付けることができ、このとき手首２０と反対側となる仮止め具１０の表側に係合層１２が位置している。
【００２８】
そこで、他方の手で包帯３０の巻き始め端部３１を係合層１２の上に重ねて押し付ける。これにより、巻き始め端部３１は繊維部分に係合層１２の係合突部１５が係合して仮止め具１０へ固定され、以後、巻き始め端部３１は手を離しても仮止め具１０を介して手首２０の上に固定される。
【００２９】
そこで、図３に示すように、包帯３０のロール部３３を他方の手に持って、一方の手首２０の回りへ所定回数巻き付け、必要によりカットして、その巻き終わり端部３２を巻き付けた包帯３０の上へ重ね、図示しないサージカルテープや公知のフック等にて固定する。
【００３０】
このように、仮止め具１０を用いると、包帯３０の巻き始め端部３１が係合層１２と係合して固定されるので、以後、巻き始め端部３１を顎などで固定することなく他方の手に包帯３０を持って巻きつけることができる。
このため、一人で包帯３０を巻く場合において特に困難であった手首２０への巻きつけが容易になった。
【００３１】
このとき、仮止め具１０は比較的小さなものであり、包帯３０と別体になっているから、包帯３０を巻く前に仮止め具１０だけを手首２０の適宜場所へ貼り付けることができる。しかも、包帯３０を持たずに、他方の手で仮止め具１０を持って一方の手首２０における任意の位置へ包帯３０に拘束されずに自由に貼り付けることができる。
【００３２】
しかも、仮止め具１０が包帯３０と別体であるため、包帯３０の製造工数を増加することはなく、そのうえ、ほとんど全ての市販されている包帯３０に対して使用できる。
【００３３】
また、仮止め具１０は係合層１２が包帯３０の巻き始め端部３１へ着脱自在に係合する。したがって、着脱は機械的に係脱するだけである。このように、巻き始め端部３１を仮止め具１０に対して着脱するに際して機械的に係脱すると、粘着するときのような糊残りを生じることなく分離できるので、包帯３０を何回も繰り返して使用することが可能になる。
【００３４】
一方、従来例のように、予め包帯の巻き始め端部側へ仮止め具を粘着一体化しておけば、仮止め具を包帯から剥がすとき、包帯の巻き始め端部側に粘着剤の一部が付着する糊残りが生じ、これが原因で包帯が汚れることになる。このため、包帯を洗濯をして繰り返し使用する場合には使用回数を少なくしてしまった。
【００３５】
そのうえ、係合層１２を面ファスナーで構成すれば、公知の面ファスナーを利用して係合層１２を容易に形成できる。
【００３６】
また、生体粘着剤層１３をゲル粘着剤とすれば、皮膚に悪影響を生じさせることなく、仮止め具１０をより長時間貼り付けたまま使用することができる。
【００３７】
なお、仮止め具１０を取り付ける対象は、手首２０に限らない。一人で包帯３０を巻く場合において特に困難である、上腕部などの腕２１もしくは手の平２２や指２３等へ巻きつけることができる。このとき、仮止め具１０をより小さなものにすれば、指２３のような特に狭い場所に対しても容易に貼り付けできる。
【００３８】
また、自己の手及び腕に限らず他の部位に対しても使用可能である。例えば、足など他の人体各部でもよい。この場合でも、巻き始め端部３１の固定を容易にし、巻き始め端部３１を手で押さえる必要がなく、包帯３０の巻きつけを容易にすることに変わりはない。また、他人に対する包帯３０の巻きつけでも同様である。
【符号の説明】
【００３９】
１０：仮止め具、１１：基材層、１２：係合層、１３：生体粘着剤層、１５：係合突部、２０：手首、３０：包帯、３１：巻き始め端部
【図１】
0003185700.tif 000003
【図２】
0003185700.tif 000004
【図３】
0003185700.tif 000005